(57)【要約】【課題】結露の発生を軽減し室内へ侵入することを防止するとともに、高い強度を備えた支持金具を提供する。【解決手段】建物のコンクリート壁Ｃに埋設されるナット部１０と、その埋設されたナット部１０に基端部が螺合する金属製のボルト部２０とで構成される支持金具１であって、ナット部１０を、金属製で略筒形状の外筒部１１と、その外筒部１１の内側に組み込まれ、中央部にボルト部２０の基端部が螺合するねじ部１３ａが設けられた金属性のナット本体部１３と、外筒部１１とナット本体部１３との間に設けられ、周壁１２ａと蓋壁１２ｂを有する略有頂筒形状で外筒部１１とナット本体部１３とが接することのないように、ナット本体部１３を支持するプラスチック製の断熱インサート１２とで構成する。【選択図】    図２
2005207194.tif 000002
【特許請求の範囲】
【請求項１】
建物のコンクリート壁に埋設されるナット部と、その埋設されたナット部に基端部が螺合する金属製のボルト部とで構成される支持金具であって、
前記ナット部を、
金属製で略筒形状の外筒部と、
該外筒部の内側に組み込まれ、中央部に前記ボルト部の基端部が螺合するねじ部が設けられた金属製のナット本体部と、
前記外筒部と前記ナット本体部との間に設けられ、周壁と蓋壁を有する略有頂筒形状で前記外筒部と前記ナット本体部とが接することのないように、前記ナット本体部を支持するプラスチック製の断熱インサートと、
で構成してなることを特徴とする支持金具。
【請求項２】
前記外筒部の前記ボルト部挿入側先端に、内方に突出するフランジ筒を設けるとともに、前記断熱インサートの先端にも、内方に突出し、前記外筒部のフランジ筒の内側に接するインサートフランジ筒を設けたことを特徴とする請求項１に記載の支持金具。
【請求項３】
前記断熱インサートの周壁と蓋壁は別体成形され、前記蓋壁は、前記外筒部と前記周壁と前記ナット本体部との一体物に、外側から組付けられるものであることを特徴とする請求項１または２に記載の支持金具。
【請求項４】
前記外筒部の外周面と前記断熱インサートの周壁を、共に、前記ボルト部挿入側に狭まるテーパー状に設定してなることを特徴とする請求項１乃至３のうちいずれか一つに記載の支持金具。
【請求項５】
前記ナット部を、前記コンクリート壁に打ち込まれる打込アンカーの内部に設けてなることを特徴とする請求項１乃至４のうちいずれか一つに記載の支持金具。
【発明の詳細な説明】
【技術分野】
【０００１】
本発明は、建物のコンクリート壁（天壁や側壁）に取付けられるもので、当該コンクリート壁と建物内の温度差による結露を軽減し室内へ侵入することを防止する構造を備えた支持金具に関するものである。
【背景技術】
【０００２】
従来、例えば、図６に示すように、コンクリート製の建物に天井板Ｐを設けるためにナット部４１とボルト部４４で構成される支持金具４０が使用されている。
この支持金具４０は、コンクリート壁Ｃを型枠Ｗで形成する際に、その型枠Ｗにナット部４１を取付け、当該型枠Ｗ内にコンクリートを打設することによって、そのナット部４１をコンクリート壁Ｃに埋設している。
そして、型枠Ｗを取り外した後、ナット部４１にボルト部４４の基端部を螺合して組付ける。その後、ボルト部４４の先端部にフック部材Ｆを介して吊下げ金具Ｔを取付け、その吊下げ金具Ｔに天井板Ｐを取付ける。なお、コンクリート壁Ｃの下面には断熱材Ｈが通常設けられている。
【０００３】
この従来の支持金具４０において、ナット部４１は有頂筒形状で金属製のナット本体４２と、その外周面を覆うプラスチック製の筒体４３とで形成されている。また、ボルト部４４はその全体が金属で形成されている。
また、他の支持金具として、ナット部４１の全体を強化プラスチックで形成したものも存在する。
これら従来の支持金具は、これまで広く使用されている。
【発明の開示】
【発明が解決しようとする課題】
【０００４】
しかしながら、ナット本体４２を金属製とした従来の支持金具４０は、ナット本体４２の頂壁４２ａが、直接、コンクリート壁Ｃに接触する。金属は、プラスチック等と比較して断熱性に劣るので、コンクリート壁Ｃの熱が金属製ナット本体４２の頂壁４２ａから同じく金属製のボルト部４４に伝導し易い。
従って、特に冬季においては、コンクリート壁Ｃの冷熱が建物内に位置するボルト部４４に容易に伝わり、コンクリート壁Ｃと建物内の温度差によってボルト部４４に結露が付着し、水滴が室内へ滴下するといった問題が発生する。
【０００５】
また、ナット部４１の全体を強化プラスチックで形成した従来の支持金具は、当該プラスチックが断熱材のはたらきをするので結露が発生し難いものの、その剛性は金属に劣るため、支持金具としての強度に欠ける。
【０００６】
そこで、本発明の目的とするところは、結露の発生を軽減し室内へ侵入することを防止するとともに、高い強度を備えた支持金具を提供することにある。
【課題を解決するための手段】
【０００７】
上記の目的を達成するために、本発明の請求項１に記載の発明は、建物のコンクリート壁（Ｃ）に埋設されるナット部（１０）と、その埋設されたナット部（１０）に基端部が螺合する金属製のボルト部（２０）とで構成される支持金具（１）であって、前記ナット部（１０）を、金属製で略筒形状の外筒部（１１）と、その外筒部（１１）の内側に組み込まれ、中央部に前記ボルト部（２０）の基端部が螺合するねじ部（１３ａ）が設けられた金属性のナット本体部（１３）と、前記外筒部（１１）と前記ナット本体部（１３）との間に設けられ、周壁（１２ａ）と蓋壁（１２ｂ）を有する略有頂筒形状で前記外筒部（１１）と前記ナット本体部（１３）とが接することのないように、前記ナット本体部（１３）を支持するプラスチック製の断熱インサート（１２）とで構成してなることを特徴とする。
【０００８】
また、請求項２に記載の発明は、前記外筒部（１１）の前記ボルト部（２０）挿入側先端に、内方に突出するフランジ筒（１１ｃ）を設けるとともに、前記断熱インサート（１２）の先端にも、内方に突出し、前記外筒部（１１）のフランジ筒（１１ｃ）の内側に接するインサートフランジ筒（１２ｃ）を設けたことを特徴とする。
【０００９】
さらに、請求項３に記載の発明は、前記断熱インサート（１２）の周壁（１２ａ）と蓋壁（１２ｂ）は別体成形され、前記蓋壁（１２ｂ）は、前記外筒部（１１）と前記周壁（１２ａ）と前記ナット本体部（１３）との一体物に、外側から組付けられるものであることを特徴とする。
【００１０】
またさらに、請求項４に記載の発明は、前記外筒部（１１）の外周面と断熱インサート（１２）の周壁（１２ａ）を、共に、前記ボルト部（２０）挿入側に狭まるテーパー状に設定してなることを特徴とする。
【００１１】
また、請求項５に記載の発明は、前記ナット部（１０）を、前記コンクリート壁（Ｃ）に打ち込まれる打込アンカー（３０）の内部に設けてなることを特徴とする。
【００１２】
なお、カッコ内の記号は図面および後述する発明を実施するための最良の形態に記載された対応要素または対応事項を示す。
【発明の効果】
【００１３】
本発明の請求項１に記載の支持金具によれば、ナット部を、金属製で略筒形状の外筒部と、外筒部の内側に組み込まれ中央部に前記ボルト部の基端部が螺合するねじ部が設けられた金属製のナット本体部と、前記外筒部と前記ナット本体部との間に設けられ、周壁と蓋壁を有する略有頂筒形状で前記外筒部と前記ナット本体部とが接することのないように、前記ナット本体部を支持するプラスチック製の断熱インサートとで構成し、ボルト部の基端部の周りを断熱インサートで覆うようにしている。
従って、コンクリート壁の冷熱がボルト部に伝わるのをプラスチック製の断熱インサートによって効果的に抑制することができる。
【００１４】
すなわち、コンクリート壁の冷熱は熱伝導性の良い金属製の外筒部に迅速に伝わるが、この外筒部には断熱性の高いプラスチック製の断熱インサートが埋設されているので、当該断熱インサートによって冷熱の伝導が阻まれる。従って、ボルト部にはコンクリート壁の冷熱が伝わり難く、よって、ボルト部に、コンクリート壁と建物内の温度差により生じる結露が付着しない。これにより、建物内に結露の水が滴下すると言った事態を未然に防止することができる。
また、ナット部は、ボルト部の基端部が螺合するねじ部が設けられた金属製のナット本体部を備えるので、充分な剛性を有する。
【００１５】
また、請求項２に記載の発明によれば、請求項１に記載の発明の作用効果に加えて、外筒部のボルト部挿入側先端に、内方に突出するフランジ筒を設けるとともに、断熱インサートの先端にも、内方に突出し、外筒部のフランジ筒の内側に接するインサートフランジ筒を設けたので、ボルト部の基端部の周りをプラスチック製の断熱インサートでより確実に覆うことができる。
これにより、結露の発生をさらに防止することができる。
【００１６】
さらに、請求項３に記載の発明によれば、請求項１および２に記載の発明の作用効果に加えて、断熱インサートの周壁と蓋壁は別体成形され、蓋壁は、前記外筒部と前記周壁と前記ナット本体部との一体物に、外側から組付けられるものであるので、ナット部の成形が容易となる。
【００１７】
またさらに、請求項４に記載の発明によれば、請求項１乃至３に記載の発明の作用効果に加えて、外筒部の外周面と断熱インサートの周壁を、共に、ボルト部挿入側に狭まるテーパー状に設定しているので、ボルト部を介してナット部に作用する荷重を分散させることができる。
【００１８】
特に、外筒部にフランジ筒を周設した場合、このフランジ筒に荷重が集中するが、外筒部の外周面と断熱インサートの周壁を傾斜状としたことで、荷重が当該周壁および外周面によってコンクリート壁に分散して作用する。これにより、ナット部の損傷を抑制し、支持金具の耐久性を高めることができる。
【００１９】
また、請求項５に記載の発明によれば、請求項１乃至４に記載の発明に作用効果に加えて、ナット部を、コンクリート壁に打ち込まれる打込アンカーの内部に設けているので、すでに完成した建物のコンクリート壁（例えば、部屋の壁）にエアコン等の電気機器や棚などの室内用品を支持したい場合に、その用途に応じて適宜の箇所に設けることができるので便利である。
【発明を実施するための最良の形態】
【００２０】
図１乃至図３を参照して、本発明の第一実施形態に係る支持金具１について説明する。図１は、支持金具１のナット部１０を型枠Ｗに取付けた状態を示す正面断面図であり、図２は、その状態から型枠Ｗを取り除いた状態を示す部分断面正面図である。また、図３はその平面図である。
【００２１】
この支持金具１は、図６で示した従来技術と同様に、建物の天井板Ｐを吊下げ固定するために使用するもので、型枠Ｗ内にコンクリートを打設する際に、そのナット部１０を型枠Ｗに固定する（図１参照）。この固定は、外筒部１１の両側端部から突設した半鍔片１１ａに穿設した孔部１１ｂから釘Ｎを打ち込んで行う。そして、コンクリートを打設養生後、型枠Ｗを取り除き、当該ナット部１０をコンクリート壁Ｃに埋設させた状態で固定するものである（図２参照）。
【００２２】
この支持金具１は、ナット部１０と、当該ナット部１０に基端部が螺合する金属製のボルト部２０とで構成される。そして、ナット部１０を、外筒部１１とナット本体部１３と断熱インサート１２とで形成している。
外筒部１１は、金属製で略筒形状である。
また、ナット本体部１３も、金属製であり、外筒部１１の内側に組み込まれ、中央部にボルト部２０の基端部が螺合するねじ部１３ａが設けられている。
さらに、断熱インサート１２は、プラスチック製であり、外筒部１１とナット本体部１３との間に設けられ、周壁１２ａとその周壁１２ａの上端開口部を閉塞する蓋壁１２ｂを有する略有頂筒形状で外筒部１１とナット本体部１３とが接することのないように、ナット本体部１３を支持している。
【００２３】
この支持金具１は、上記した構成により、ボルト部２０の基端部の周りを断熱インサート１２で覆うことができる。従って、特に冬季においては、コンクリート壁Ｃの冷熱がボルト部２０に迅速に伝わり、当該ボルト部２０が結露し、その水が建物内へ滴下し易いが、この支持具は断熱インサート１２を設けているので、そうした状況の発生を阻止することができる。
【００２４】
なお、ボルト部２０が螺合されるナット本体部１３は、プラスチック製ではなく、金属製であるので、充分な強度を発揮する。
【００２５】
また、本実施形態に係る支持金具１は、外筒部１１のボルト部２０挿入側先端に、内方に突出するフランジ筒１１ｃを設けるとともに、断熱インサート１２の先端にも、内方に突出し、外筒部１１のフランジ筒１１ｃの内側に接するインサートフランジ筒１２ｃを設けたので、ボルト部２０の基端部の周りをプラスチック製の断熱インサート１２で確実に覆うことができ、結露の発生をさらに効果的に防止することができる。
【００２６】
また、この支持金具１は、断熱インサート１２の周壁１２ａと蓋壁１２ｂを別体成形し、蓋壁１２ｂは、外筒部１１と周壁１２ａとナット本体部１３との一体物に、外側（上側）から組付けられるものであるので、ナット部１０の成形が容易となる。
【００２７】
またさらに、この支持金具１は、外筒部１１の外周面と断熱インサート１２の周壁１２ａを、共に、ボルト部２０挿入側に狭まるテーパー状（傾斜状）に設定している。
従って、インサートフランジ筒１２ｃに集中する荷重を当該周壁１２ａおよび外周面によってコンクリート壁Ｃに分散させることができ、ナット部１０を含む当該支持金具１の耐久性を高めることができる。
【００２８】
図４を参照して、本発明の第二実施形態に係る支持金具１について説明する。図４は支持金具１を示す正面断面図である。
この支持金具１は、コンクリート壁Ｃに打ち込まれる打込アンカー３０の内部に一体的に組付けられており、すでに完成しているコンクリート壁Ｃ（部屋の壁）に埋設して、ボルト部２０の先端部でエアコンや家具などを支持するために使用される。
【００２９】
当該支持金具１は、次のようにしてコンクリート壁Ｃに固定される。まず、コンクリート壁Ｃにドリルで所定深さの穴を開け、その中に支持金具１を設けた打込アンカー３０を打ち込む。打込アンカー３０は、円筒状のアンカー本体３１とその先端部に嵌入する頭部材３２とで構成され、アンカー本体３１を打ち込むと頭部材３２がアンカー本体３１内に入り込んで当該アンカー本体３１の先端部（開口部側端部）を押し広げ、コンクリート壁Ｃに抜け出し不能に組付く。そして、打込アンカー３０と共にコンクリート壁Ｃに埋設されたナット部１０に、ボルト部２０の基端部を螺合し、その先端部でエアコン等を室内用品Ｓを支持する。
【００３０】
なお、本発明に係る支持金具１は、図５に示すように、外筒部１１の外周面と断熱インサート１２の周壁１２ａを垂直状に設定することもできる。
【図面の簡単な説明】
【００３１】
【図１】本発明の第一実施形態に係る支持金具において、ナット部を型枠に取付けた状態を示す正面断面図である。
【図２】図１の支持金具において、型枠を取り除いた状態を示す部分断面正面図である。
【図３】図１および図２に示す支持金具の平面図である。
【図４】本発明の第二実施形態に係る支持金具を示す正面断面図である。
【図５】本発明に係る支持金具の他の実施形態を示す正面断面図である。
【図６】従来例に係る支持金具を示す部分断面正面図である。
【符号の説明】
【００３２】
１    支持金具
１０    ナット部
１１    外筒部
１１ａ  半鍔片
１１ｂ  孔部
１１ｃ  フランジ筒
１２    断熱インサート
１２ａ  周壁
１２ｂ  蓋壁
１２ｃ  インサートフランジ筒
１３    ナット本体部
１３ａ  ねじ部
２０    ボルト部
３０    打込アンカー
３１    アンカー本体
３２    頭部材
４０    支持金具
４１    ナット部
４２    ナット本体
４２ａ  頂壁
４３    筒体
４４    ボルト部
Ｃ    コンクリート壁
Ｆ    フック部材
Ｈ    断熱材
Ｎ    釘
Ｍ    壁材
Ｐ    天井板
Ｓ    室内用品
Ｔ    吊下げ金具
Ｗ    型枠
【図１】
2005207194.tif 000003
【図２】
2005207194.tif 000004
【図３】
2005207194.tif 000005
【図４】
2005207194.tif 000006
【図５】
2005207194.tif 000007
【図６】
2005207194.tif 000008